(57)【要約】【課題】本考案は、室内に樹木葬墓を設けたとしても、樹木の生育のための十分な日照量を確保できると共に、周囲に居住する住民や景観に配慮された室内型墓地構造を提供する。【解決手段】本考案に係る室内型墓地構造１０は、透光手段を有する屋根部１１０及び側壁部１２０を備える建物１００と、その内部に配設される樹木葬墓２００と、建物１００の外周域に並べて配置される植物３００とを含む。【選択図】  図１
0003203223.tif 000002
【実用新案登録請求の範囲】
【請求項１】
屋根部と側壁部とを含む建物内に、樹木葬墓が配設される室内型墓地構造であって、
前記建物の屋根部及び側壁部は、太陽光を建物内部に透過させる透光手段を有し、
前記建物の外周域に並べて配置される複数の植物を更に備える室内型墓地構造。
【請求項２】
前記建物の側壁部は、建物内部の視認を妨げる視認阻止手段を備える請求項１に記載の室内型墓地構造。
【請求項３】
前記視認阻止手段は、建物内部の視認阻止領域を調節する視認領域調節機能を備える請求項２に記載の室内型墓地構造。
【請求項４】
前記植物が、樹木である請求項１から３のいずれか一項に記載の室内型墓地構造。
【考案の詳細な説明】
【技術分野】
【０００１】
本考案は、室内型墓地構造に関する。
【背景技術】
【０００２】
従来、遺骨の埋葬方法として、墓石やカロートを含む構造の墓に骨壺を収めるという方法が画一的に採用されていた。しかし、価値観の多様化が進む昨今、遺骨の埋葬方法も同様に多様化し、個人の嗜好に応じた様々な方法が実施されている。このような状況下、外柵や墓石等を特段設けずに遺骨を土中に埋め、その上方（又は周辺域）に植えられた樹木を墓標とする、いわゆる樹木葬への需要が高まっている。
【０００３】
また、人口の都市集中化による都市部での墓不足解消や、天候に左右されない快適な墓参環境の提供等を目的として、屋内に墓を設ける室内型の墓地が増加傾向にある。樹木葬形式の墓（以下、「樹木葬墓」と言う。）を含む墓地に関しても、これを室内に設けることができれば、樹木葬を希望した生前の故人の意向を尊重でき、かつ墓参者に対して上述のような室内型墓地のメリットを提供することが可能となる。
【０００４】
ここで、室内型の墓地構造に関し、下記特許文献１に記載の技術が開示されている。特許文献１に記載の技術は、墓の周囲を緑化手段で飾ったガーデニング霊園が室内に設けられ、建物の天井面積の５０％以上を透明部材により形成し、建物の壁部の全面を透明部材により形成した墓地構造に関する。
【先行技術文献】
【特許文献】
【０００５】
【特許文献１】実用新案登録第３１９６３３１号公報
【考案の概要】
【考案が解決しようとする課題】
【０００６】
しかしながら、上記特許文献に記載の技術においては、建物の壁部が透明であるため、外側から墓地の様子が視認されてしまう。上述のように、多くの室内型墓地が都市部に設けられているところ、建物内の墓部分が外部から明瞭に判別されてしまう状態では、周辺住民の墓地への心理的抵抗を和らげることができない。また、建物の設置場所によっては、墓部分が視認されることで、周囲景観との調和が図られず、当該場所に備わる美観が損なわれるおそれもある。
【０００７】
上記課題に鑑み、本考案は、室内に樹木葬墓を設けたとしても、樹木の生育のための十分な日照量を確保できると共に、周囲に居住する住民や景観に配慮された室内型墓地構造を提供する。
【課題を解決するための手段】
【０００８】
本考案に係る室内型墓地構造は、
屋根部と側壁部とを含む建物内に、樹木葬墓が配設され、
前記建物の屋根部及び側壁部は、太陽光を建物内部に透過させる透光手段を有し、
前記建物の外周域に並べて配置される複数の植物を更に備えることを特徴とする。
【０００９】
また、本考案に係る室内型墓地構造は、
前記建物の側壁部が、建物内部の視認を妨げる視認阻止手段を備えることが好ましく、前記視認阻止手段は、建物内部の視認阻止領域を調節する視認領域調節機能を備えることが好ましい。また、前記植物が、樹木であることが好ましい。
【考案の効果】
【００１０】
本考案によれば、建物の屋根部及び側壁部が、内部に太陽光を透過させる透光手段を備えているため、室内に樹木葬墓を設けたとしても、樹木の生育のための十分な日照量を確保できる。それに加えて、建物の外周域に並べて配置された植物が、建物外装の美観の創出（意匠性の向上）に寄与すると共に、建物内部のブラインドとしても機能するため、周囲に居住する住民や景観にも配慮された室内型墓地構造を提供することができる。
【図面の簡単な説明】
【００１１】
【図１】本考案に係る室内型墓地構造の一例を示す外観斜視図。
【図２】本考案に係る室内型墓地構造に含まれる建物内部の一例を示す図。
【図３】本考案に係る室内型墓地構造の他の例を示す外観斜視図。
【図４】本考案に係る室内型墓地構造に含まれる建物内部の他の例を示す図。
【図５】本考案に係る室内型墓地構造に含まれる建物内部の他の例を示す図。
【考案を実施するための形態】
【００１２】
以下、図面を参照して本考案の望ましい実施形態を詳細に説明する。但し、本考案は多くの異なる態様で実施することが可能であり、以下に示す実施の形態の記載内容に限定して解釈されるものではない。
【００１３】
まず、図１を参照して、本考案に係る室内型墓地構造１０の概略について説明する。図１は、本考案に係る室内型墓地構造１０の外観斜視図である。図１に示されるように、本考案に係る室内型墓地構造１０は、建物１００と、建物１００内部に配設される樹木葬墓２００と、建物１００の外周域に並べて配置される複数の植物３００等を含む。
【００１４】
図１に示されるように、建物１００は、屋根部１１０と側壁部１２０を含む。ここで、屋根部１１０は、太陽光を建物１００内部に透過させる透光手段１１１を備える。本実施形態では、透光手段１１１として、光の反射や吸収の少ないガラス製部材が用いられる。これにより、太陽光を建物内部に透光させることができ、内部に配設される樹木葬墓２００に係る樹木の生育にとって十分な日照量を確保することができる。ただし、透光手段１１１は、これに限られるものではなく、例えばビニールハウスの屋根部材などとして用いられる透光性の塩化ビニール製フィルム部材等であってもよい。
【００１５】
建物１００に備わる側壁部１２０は、地面上に立設され、屋根部１１０を支持する。ここで、側壁部１２０は、窓材が嵌め込まれたコンクリート等の壁材によって構成されるものであってもよいし、透光性の高いガラスやアクリル板等の壁材によって構成されるものであってもよい。このとき、前者においては上記窓材が、後者においてはガラス又はアクリル板等の部材が、太陽光を建物内部に透光させる透光手段として機能する。ただし、建物１００内により多くの太陽光を取り込むため、ガラスやアクリル板等の壁材を含む構造のものを側壁部１２０の透光手段として用いることが、好ましい。
【００１６】
また、側壁部１２０は、建物１００の外側から内部の視認を妨げるための視認阻止手段１２１を備えることが好ましい。視認阻止手段１２１として、側壁部１２０の表面に貼付可能であって、銀やアルミニウムといった金属を基材に蒸着したシート状部材、カーボンブラック等の光吸収性の高い材料を含有するフィルム状部材、又は側壁部１２０の所定箇所に設置可能なカーテン状部材等が考えられる。これらの視認阻止手段１２１によって、側壁部１２０の透光手段の一部又は全部の領域が覆われることで、建物１００内部に配設される墓地の様子が、外部から判別されにくい状態となる。これにより、墓地周辺に居住する住民の心理的抵抗を軽減させることができる。
【００１７】
ここで、視認阻止手段１２１としてカーテン状部材を用いる場合、天候や時節によって変化する日照量及び日照角度等に関する日照条件、あるいは建物１００と周辺住居・施設との位置関係等に関する立地条件などの違いに応じて、カーテン状部材の開閉度合を制御してもよい。すなわち、カーテン状部材（視認阻止手段１２１）に、建物内部の視認阻止領域を調節する機能を持たせてもよい。これにより、建物１００の外側から墓地が判別されにくい状態を保ちつつ、側壁部１２０の透光領域を調節して樹木葬墓２００の樹木の生育に十分な日照量を確保することができる。カーテン状部材以外の視認阻止手段１２１であっても、上記した視認領域調節機能を備えてよいことはもちろんである。
【００１８】
次に、樹木葬墓２００は、建物１００内部に配設され、墓標としても機能する樹木２１０を含む。故人の遺骨は、樹木２１０の直下又はこの周辺の地中に埋葬される。また、図１に示されるように、樹木葬墓２００は、埋葬された故人の情報を表示する墓碑プレート２２０を含むものであってもよい。更に、樹木葬墓２００は、供花や線香等を供え置くための供物載置部を含んでいてもよい。なお、建物１００内に配設される墓地の詳細については、後述する。
【００１９】
次に、植物３００は、建物１００の外周域に並べて配置されるものであって、建物外観の意匠性を高めると共に、緑化環境保全の役割を担う他、建物内部のブラインドとしても機能するものである。植物３００を建物１００の外周域に設けることで、植物３００単独で、あるいは上記側壁部１２０が視認阻止手段１２１を備えている場合にはこれと相まって、建物１００内部の外側からの視認を防ぐことができる。
【００２０】
なお、本実施形態で用いられる植物３００は、樹木であることが好ましい。また、図１に示されるように、植物３００は、建物１００の周囲全体を取り囲むよう配置されていてもよいし、建物内部のブラインド機能を大幅に損なわない範囲で、建物１００の外周域の一部のみ植えられていてもよい。
【００２１】
次に、図２を参照して、建物１００の内部の様子を説明する。図２は、屋根部１１０を外した状態で、建物１００を上方から見た図である。図２に示されるように、建物１００の内部には、樹木葬墓２００が設けられる樹木葬墓配設領域１３０の他、墓参者用通路１４０、礼拝堂１５０、噴水を備えた水路１６０、空調設備１７０等が設けられる。
【００２２】
また、建物１００内部には、樹木葬墓２００として、樹木２１０の下方に複数の遺骨が埋葬される集合型樹木葬墓２００Ａと、樹木２１０の下方に一名分の遺骨が埋葬される個別型樹木葬墓２００Ｂの２種類が、配設される。更に、集合型樹木葬墓２００Ａ及び個別型樹木葬墓２００Ｂは、種類の違いに応じて異なる領域に配設されている。ただし、樹木葬墓２００を、上記のように分類するか否かは任意である。また、建物１００内部における樹木葬墓２００の配置方法並びに設置される機器等の設備に関しても、これに限られるものではない。
【００２３】
上記にて説明した本考案に係る室内型墓地構造１０は、図１に示されるように、所定の奥行きを持った略アーチ型の建物１００を含むものであった。しかし、建物１００の外形はこれに限られるものではなく、図３に示されるような半球状のドーム型形状を有するものであってもよいし、それ以外の形状であってもよい。図３に示される室内型墓地構造１０の建物１００は、半球状の屋根部１１０と、この屋根部１１０を支持する側壁部１２０とを含む。また、建物１００の外周域に、植物３００が並べて配置される。
【００２４】
図４に示されるように、建物１００内部には、樹木葬墓２００が配設される樹木葬墓配設領域１３０、墓参者用通路１４０、礼拝堂１５０、噴水を備えた水路１６０、空調設備１７０等が設けられる。ただし、樹木葬墓２００の形態や分類、並びにこれらの配置は、これに限られるものではない。また、墓参者用通路１４０、礼拝堂１５０、噴水を備えた水路１６０、空調設備１７０等が建物内にすべて設置される必要は無く、一部が配置されるものであってもよい。
【００２５】
例えば、図５に示されるように、建物１００内に、個別型樹木葬墓２００Ｂを配設せずに集合型樹木葬墓２００Ａのみを配設し、これが、建物１００の中央に集約されるレイアウトなどであってもよい。また、他の設備の配置に関しても、図２や図４に示される態様に限られず、図５に示されるように、建物１００の中央に集約された集合型樹木葬墓２００Ａの周囲に、礼拝堂１５０、空調設備１７０、休息領域等が、配置されていてもよい。なお、図に表記されていないが、個別型樹木葬墓２００Ｂのみが、建物１００内に配設される態様であってもよい。ただし、墓地内により多くの遺骨を収容するため、集合型樹木葬墓２００Ａを含む態様のものが望ましい。
【符号の説明】
【００２６】
１０      室内型墓地構造
１００    建物
１１０    屋根部
１１１    透光手段
１２０    側壁部
１２１    視認阻止手段
２００    樹木葬墓
２１０    樹木葬墓に含まれる樹木
２２０    墓碑プレート
３００    植物
【図１】
0003203223.tif 000003
【図２】
0003203223.tif 000004
【図３】
0003203223.tif 000005
【図４】
0003203223.tif 000006
【図５】
0003203223.tif 000007